(57)【要約】【課題】  体が天板に接近した立ち姿勢で使用することができ、電子情報機器端末の本体装置を天板下に格納して見えなくすることによって、図書館等で使用する場合にも外観的に優れ、しかも配線機能を備えた立ち姿勢用の情報検索台を提供する。【解決手段】  平面視四角形の収納体１の上面に、前縁中央部に後方へ湾曲した凹縁部５を形成するとともに、後縁中央部に収納体よりも後方へ湾曲して突出した凸縁部６を形成した天板３を取付ける。また、天板の背後に、天板の後縁の形状に沿った平面視湾曲したバックパネル４を天板の後縁との間に配線空間７を設けて配するとともに、バックパネルは収納体の背面の略全面を覆い且つ上部は天板よりも上方に位置させている。【選択図】        図１
2006129969.tif 000002
【特許請求の範囲】
【請求項１】
平面視四角形の収納体の上面に、前縁中央部に後方へ湾曲した凹縁部を形成するとともに、後縁中央部に前記収納体よりも後方へ湾曲して突出した凸縁部を形成した天板を取付けたことを特徴とする立ち姿勢用の情報検索台。
【請求項２】
前記天板の背後に、該天板の後縁の形状に沿った平面視湾曲したバックパネルを該天板の後縁との間に配線空間を設けて配するとともに、該バックパネルは前記収納体の背面の略全面を覆い且つ上部は天板よりも上方に位置してなる請求項１記載の立ち姿勢用の情報検索台。
【請求項３】
前記天板の後部であって、前記収納体に連通した位置にコード挿通孔を形成してなる請求項１又は２記載の立ち姿勢用の情報検索台。
【請求項４】
前記収納体は、前面に開閉扉を設けるとともに、側面板及び背面板に複数の通気孔を開設し、更に背面板の下部であって前記バックパネルで隠れた位置に配線コードを引き出す開口を形成してなる請求項２又は３記載の立ち姿勢用の情報検索台。
【発明の詳細な説明】
【技術分野】
【０００１】
本発明は、立ち姿勢用の情報検索台に係わり、更に詳しくは図書館等で書籍情報等を電子情報機器端末で検索するために使用する立ち姿勢用の情報検索台に関するものである。
【背景技術】
【０００２】
従来から、電子情報機器端末を置いて使用するためのＯＡ用机又はテーブルは各種提供されている。例えば、本出願人の先願に係る特許文献１には、電子情報機器端末のモニター用ディスプレイを作業机の上に配設し、電子情報機器端末の本体装置を作業机の下に配設するＯＡ（オフィス・オートメーション）機器用家具において、ＯＡ機器を配置する上記作業机の奥側縁に沿って立て掛けたパーティションを有し、上記作業机の天板の奥側端縁に切欠部を形成し、該切欠部にルーバーを配設するとともに、該切欠部の下側に作業机の下側から作業机の上側に送風する送風機を設け、机下を、前記本体装置を設置した部分と他の部分とに区切る仕切板を配設し、床下から空調用調和空気を室内に吹き出す床下空調装置の吹出口を、机下であって上記本体装置を配置した部分に臨ませて配設し、該吹出口から机下に調和空気を吹き出すＯＡ機器用家具構造が開示されている。
【０００３】
また、同じく本出願人の先願に係る特許文献２には、脚部で支持された天板の前部の少なくとも左右一側に前方へ張り出した腕置き部を形成するとともに、該腕置き部以外の前縁部を掌置き部となしたＯＡ機器用机が開示されている。
【０００４】
また、同じく本出願人の先願に係る特許文献３には、左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けたパネル付きパソコンデスクが開示されている。
【０００５】
前述の特許文献１に記載のＯＡ用机又はテーブルは、構造が複雑で電子情報機器端末の本体装置の強制冷却手段を備えるものであり、高価であるばかりでなく、立ち姿勢で使用するものではない。また、特許文献２に記載されたＯＡ機器用机は、電子情報機器端末の本体装置をモニター用ディスプレイと共に天板上に置くことを想定したものであり、端板の下方に収納空間を設けてなく、また立ち姿勢で使用するものではない。また、特許文献３に記載されたパネル付きパソコンデスクは、天板の背後に上方へ延びたパネルを備え、天板にモニター用ディスプレイを載置し、下段の載置板に電子情報機器端末の本体装置を収容できるものの、下段の載置板に収容した本体装置が露出するので、図書館等の公共の場で使用するには、安全上、セキュリティ上に問題があり、また外観的にも不似合いである。
【特許文献１】特開平７−５９６１９号公報
【特許文献２】特開２００３−９９５６号公報
【特許文献３】特開２００１−２４５７３１号公報
【発明の開示】
【発明が解決しようとする課題】
【０００６】
そこで、本発明が前述の状況に鑑み、解決しようとするところは、体が天板に接近した立ち姿勢で使用することができ、電子情報機器端末の本体装置を天板下に格納して見えなくすることによって、図書館等で使用する場合にも外観的に優れ、しかも配線機能を備えた立ち姿勢用の情報検索台を提供する点にある。
【課題を解決するための手段】
【０００７】
本発明は、前述の課題解決のために、平面視四角形の収納体の上面に、前縁中央部に後方へ湾曲した凹縁部を形成するとともに、後縁中央部に前記収納体よりも後方へ湾曲して突出した凸縁部を形成した天板を取付けてなる立ち姿勢用の情報検索台を構成した（請求項１）。
【０００８】
ここで、前記天板の背後に、該天板の後縁の形状に沿った平面視湾曲したバックパネルを該天板の後縁との間に配線空間を設けて配するとともに、該バックパネルは前記収納体の背面の略全面を覆い且つ上部は天板よりも上方に位置してなることが好ましい（請求項２）。
【０００９】
また、前記天板の後部であって、前記収納体に連通した位置にコード挿通孔を形成してなることも好ましい（請求項３）。
【００１０】
そして、前記収納体は、前面に開閉扉を設けるとともに、側面板及び背面板に複数の通気孔を開設し、更に背面板の下部であって前記バックパネルで隠れた位置に配線コードを引き出す開口を形成してなることがより好ましい（請求項４）。
【発明の効果】
【００１１】
以上にしてなる請求項１に係る発明の立ち姿勢用の情報検索台は、平面視四角形の収納体の上面に天板を取付け、該天板上に電子情報機器端末のモニター用ディスプレイやキーボード、マウス等の入出力装置を載置するとともに、収納体の内部に電子情報機器端末の本体装置やＤＶＤプレヤー等の情報再生記録装置を格納して使用することができ、該天板を立ち姿勢で使用できる高さに設定しても収納体の重量が重くなって安定化するのであり、また天板の前縁中央部に後方へ湾曲した凹縁部を形成したので、立ち姿勢で体を天板に接近して使用することができ、また天板の後縁中央部に前記収納体よりも後方へ湾曲した凸縁部を形成したので、前記凹縁部によって狭くなった天板の上を広くすることができる。
【００１２】
請求項２によれば、バックパネルと天板の後縁との間に形成された配線空間を利用して、収納体の内部に電子情報機器端末の本体装置等と、天板上に載置した電子情報機器端末のモニター用ディスプレイやキーボード、マウス等の入出力装置との接続コードを配線することができ、また収納体の背面の略全面がバックパネルで覆われているので外観的に優れており、更にバックパネルの上部は天板よりも上方に位置しているので目隠し作用があり、落ち着いて情報検索ができるのである。
【００１３】
請求項３によれば、天板に設けたコード挿通孔を利用して、収納体の内部に電子情報機器端末の本体装置等と、天板上に載置した電子情報機器端末のモニター用ディスプレイやキーボード、マウス等の入出力装置との接続コードを直接配線することができる。
【００１４】
請求項４によれば、収納体に電子情報機器端末の本体装置等を格納した後に開閉扉を閉じて完全に隠蔽することができ、開閉扉を閉じることによる放射熱の滞留弊害を、収納体の側面板及び背面板に複数の通気孔を開設することにより解消し、更に背面板に形成した開口を通して、アクセスフロアやその他の床下配線ダクトへの配線コードの引き出しが容易に行え、しかも開口はバックパネルで隠れた位置に形成されているので、配線コードが露出することもないのである。
【発明を実施するための最良の形態】
【００１５】
次に、添付図面に示した実施形態に基づき、本発明を更に詳細に説明する。図１は本発明に係る立ち姿勢用の情報検索台の実施形態を示し、図２〜図６はその詳細を示し、図中符号１は収納体、２は支持脚、３は天板、４はバックパネルをそれぞれ示している。
【００１６】
本発明に係る立ち姿勢用の情報検索台は、平面視四角形の収納体１の下面を支持脚２で支持するとともに、該収納体１の上面に、前縁中央部に後方へ湾曲した凹縁部５を形成するとともに、後縁中央部に前記収納体１よりも後方へ湾曲して突出した凸縁部６を形成した天板３を取付け、更に前記天板３の背後に、該天板３の後縁の形状に沿った平面視湾曲したバックパネル４を該天板の後縁との間に配線空間７を設けて配するとともに、該バックパネル４は前記収納体１の背面の略全面を覆い且つ上部は天板３よりも上方に位置している。
【００１７】
更に、前記天板３の後部であって、前記収納体１に連通した位置にコード挿通孔８を形成し、このコード挿通孔８には周囲に複数のコード挿通用の切欠部を有するキャップ９が装着されている。
【００１８】
そして、前記天板３の上面には、電子情報機器端末のモニター用ディスプレイ１０及びキーボード１１やマウス１２を載置し、前記収納体１の内部には電子情報機器端末の本体装置１３を格納している。そして、前記バックパネル４と天板３の後縁との間に形成された配線空間７を利用して、収納体１の内部の本体装置１３と、天板３上に載置したモニター用ディスプレイ１０やキーボード１１、マウス１２との接続コード１４を配線する。また、前記天板３に設けたコード挿通孔８を利用して接続コード１４を直接配線するのである。ここで、前記接続コード１４のコネクタが大きい場合には、前記キャップ９を外してコネクタをコード挿通孔８に通した後、接続コード１４をキャップ９の切欠部で逃しながら該キャップ９をコード挿通孔８に装着する。
【００１９】
更に詳しくは、前記収納体１は、平面視四角形の背の高いキャビネットであり、前面に開閉扉１５を設けるとともに、側面板１６，１６及び背面板１７に複数の通気孔１８，…を開設し、更に背面板１７の下部であって前記バックパネル４で隠れた位置に配線コード１９を引き出す開口２０を形成している。尚、前記天板３上から配線空間７を通して下方に導いた接続コード１４を、前記開口２０から収容体１の内部へ引き込み、前記本体装置１３に接続する。ここで、前記側面板１６，１６及び背面板１７をパンチングメタルで形成することも好ましい。尚、前記収納体１は、底板２１と上面板２２を有するとともに、上下中間に単又は複数の棚板２３を設けている。そして、前記天板３のコード挿通孔８に対応する前記上面板２２には、略同形の切欠口２４を形成している。
【００２０】
前記支持脚２は、図２に示すように、前記収納体１の対角線の長さよりも長い２本の接地杆２５，２５を交差させ、該接地杆２５，２５の先端部を除いて前記収納体１の外側面の輪郭と略一致した平面視形状の巾木部材２６で覆い、前記接地杆２５，２５の端部にはキャスター２７，…を設けている。そして、前記支持脚２の上に前記収納体１を載置し、該収納体１の内部から前記底板２１を接地杆２５，２５にネジ止めするとともに、前記収納体１の上面板２２に前記天板３を載置し、該収納体１の内部から上面板２２と天板３をネジ止めする。ここで、前記支持脚２の接地杆２５，２５の先端部は、前記収納体１のコーナー部よりも更に側方へ突出しているので、安定に支持することができる。
【００２１】
また、前記バックパネル４を天板３の後縁との間に配線空間７を設けて取付ける構造を説明する。図２、図３、図５及び図６に示すように、前記天板３の後縁の凸縁部６の下面に、左右１対のＬ字形金具２８，２８の各水平片２９をネジ止めし、Ｌ字形金具２８，２８の各垂直片３０の上下部に後方へ向けて突設したスペーサー３１，３１を前記バックパネル４の前面に当接した状態で背面からネジ止めして、前記天板３にバックパネル４を垂直に取付けている。この取付状態で、前記バックパネル４は、下端が前記支持脚２の近傍まで延び、上部は天板３よりも十分に高い位置まで延びている。本実施形態では、前記天板３の床面からの高さを１０００ｍｍとし、前記バックパネル４の天板３から上方に突出する高さを４５０ｍｍとしている。尚、前記バックパネル４は、半透明若しくは不透明の合成樹脂製で作成しているが、金属製でもよく、その場合にはパンチングメタル等を利用できる。
【図面の簡単な説明】
【００２２】
【図１】本発明の立ち姿勢用の情報検索台の実施形態を示す斜視図である。
【図２】同じく分解斜視図である。
【図３】同じく平面図である。
【図４】同じく正面図である。
【図５】同じく側面図である。
【図６】同じく背面図である。
【符号の説明】
【００２３】
１  収納体
２  支持脚
３  天板
４  バックパネル
５  凹縁部
６  凸縁部
７  配線空間
８  コード挿通孔
９  キャップ
１０  モニター用ディスプレイ
１１  キーボード
１２  マウス
１３  本体装置
１４  接続コード
１５  開閉扉
１６  側面板
１７  背面板
１８  通気孔
１９  配線コード
２０  開口
２１  底板
２２  上面板
２３  棚板
２４  切欠口
２５  接地杆
２６  巾木部材
２７  キャスター
２８  Ｌ字形金具
２９  水平片
３０  垂直片
３１  スペーサー
【図１】
2006129969.tif 000003
【図２】
2006129969.tif 000004
【図３】
2006129969.tif 000005
【図４】
2006129969.tif 000006
【図５】
2006129969.tif 000007
【図６】
2006129969.tif 000008